(57)【要約】【課題】シリンダ錠の内部の部品の摩耗量を把握することは困難な場合が多い。【解決手段】枠に開閉可能に支持される遊技機本体と、枠に対する遊技機本体の施錠を行うシリンダ錠とを備える。シリンダ錠は、外筒と、外筒内に外筒の軸線を中心に回転可能に配置され、鍵が挿入される鍵穴が形成された内筒と、外筒の外面および内筒の内面のいずれか一方から突出し、外筒の外面および内筒の内面のいずれか他方と接触する突出部と、突出部を外部から目視可能に露出する露出部とを有する。【選択図】図１８
2014212887.tif 000002
【特許請求の範囲】
【請求項１】
枠に開閉可能に支持される遊技機本体と、
前記枠に対する前記遊技機本体の施錠を行うシリンダ錠と
を備え、
前記シリンダ錠は、
外筒と、
前記外筒内に前記外筒の軸線を中心に回転可能に配置され、鍵が挿入される鍵穴が形成された内筒と、
前記外筒の外面および前記内筒の内面のいずれか一方から突出し、前記外筒の外面および前記内筒の内面のいずれか他方と接触する突出部と、
前記突出部を外部から目視可能に露出する露出部と
を有する、遊技機。
【請求項２】
前記露出部は、前記内筒が前記外筒に対して開錠位置にある場合に、前記突出部を外部から目視可能に露出する、請求項１に記載の遊技機。
【請求項３】
前記突出部は、前記内筒が前記外筒に対して施錠位置から開錠位置まで回転する間に、前記外筒の外面および前記内筒の内面のいずれか他方と接触する、請求項１または請求項２に記載の遊技機。
【請求項４】
前記突出部は、前記鍵穴の挿入口が形成される前記内筒の正面から突出し、
前記露出部は、前記内筒の正面に対向する前記外筒の正面に形成される、請求項１から請求項３のいずれか１つに記載の遊技機。
【請求項５】
前記露出部は、前記内筒が前記外筒に対して施錠位置にある場合に、前記鍵穴の前記挿入口の一部を露出する、請求項４に記載の遊技機。
【請求項６】
前記露出部は、前記内筒が前記外筒に対してキーコードをリセットするリセット位置にある場合に、前記鍵穴の前記挿入口の一部を露出する、請求項４または請求項５に記載の遊技機。
【請求項７】
前記内筒は、
前記鍵穴の挿入口が形成されている正面と、
前記正面と反対の面である背面と
を有し、
前記突出部は、前記内筒の背面から突出し、
前記露出部は、前記遊技機本体が前記枠に対して開錠状態にある場合に、前記突出部を外部から目視可能に露出する、請求項１から請求項３のいずれか１つに記載の遊技機。
【請求項８】
前記内筒は、前記内筒の背面の前記突出部とは異なる位置から突出する他の突出部をさらに有し、
前記露出部は、前記内筒が前記外筒に対して回転する回転量を規制すべく、前記内筒が前記外筒に対して回転する場合に前記他の突出部が移動可能な範囲を画定する、請求項７に記載の遊技機。
【請求項９】
前記遊技機本体に対して開閉可能に支持されるカバーをさらに備え、
前記シリンダ錠は、前記遊技機本体に対する前記カバーの施錠をさらに行う、請求項１から請求項８のいずれか１つに記載の遊技機。
【発明の詳細な説明】
【技術分野】
【０００１】
本発明は、遊技機に関する。
【背景技術】
【０００２】
特許文献１には、キーコードを変更することが可能なシリンダ錠が開示されている。
特許文献１  特開２００７−７７６４８号公報
【発明の概要】
【発明が解決しようとする課題】
【０００３】
シリンダ錠は、使用を繰り返すことで、内部の部品が摩耗する可能性がある。しかしながら、シリンダ錠の内部の部品の摩耗量を把握することは困難な場合が多い。
【課題を解決するための手段】
【０００４】
本発明の一態様に係る遊技機は、枠に開閉可能に支持される遊技機本体と、枠に対する遊技機本体の施錠を行うシリンダ錠とを備え、シリンダ錠は、外筒と、外筒内に外筒の軸線を中心に回転可能に配置され、鍵が挿入される鍵穴が形成された内筒と、外筒の外面および内筒の内面のいずれか一方から突出し、外筒の外面および内筒の内面のいずれか他方と接触する突出部と、突出部を外部から目視可能に露出する露出部とを有する。
【０００５】
上記遊技機において、露出部は、内筒が外筒に対して開錠位置にある場合に、突出部を外部から目視可能に露出してもよい。
【０００６】
上記遊技機において、突出部は、内筒が外筒に対して施錠位置から開錠位置まで回転する間に、外筒の外面および内筒の内面のいずれか他方と接触してもよい。
【０００７】
上記遊技機において、突出部は、鍵穴の挿入口が形成される内筒の正面から突出し、露出部は、内筒の正面に対向する外筒の正面に形成されてもよい。
【０００８】
上記遊技機において、露出部は、内筒が外筒に対して施錠位置にある場合に、鍵穴の挿入口の一部を露出してもよい。
【０００９】
上記遊技機において、突出部は、内筒が外筒に対してキーコードをリセットするリセット位置にある場合に、鍵穴の挿入口の一部を露出してもよい。
【００１０】
上記遊技機において、内筒は、鍵穴の挿入口が形成されている正面と、正面と反対の面である背面とを有し、突出部は、内筒の背面から突出し、露出部は、遊技機本体が枠に対して開錠状態にある場合に、突出部を外部から目視可能に露出してもよい。
【００１１】
上記遊技機において、内筒は、内筒の背面の突出部とは異なる位置から突出する他の突出部をさらに有し、露出部は、内筒が外筒に対して回転する回転量を規制すべく、内筒が外筒に対して回転する場合に他の突出部が移動可能な範囲を画定してもよい。
【００１２】
上記遊技機において、遊技機本体に対して開閉可能に支持されるカバーをさらに備え、シリンダ錠は、遊技機本体に対するカバーの施錠をさらに行ってもよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】本実施形態に係る遊技機の外観斜視図の一例を示す図である。
【図２】鍵をシリンダ錠に対して反時計回りに回した場合の遊技機の正面側の様子を示す図である。
【図３】鍵をシリンダ錠に対して時計回りに回した場合の遊技機の正面側の様子を示す図である。
【図４】鍵をシリンダ錠に対して時計回りに回した場合の遊技機の背面側の様子を示す図である。
【図５】施錠ユニットの背面側から見た分解斜視図の一例を示す図である。
【図６】施錠ユニットの正面側から見た分解斜視図の一例を示す図である。
【図７】施錠状態にある施錠ユニットの背面側から見た断面図の一例を示す図である。
【図８】施錠状態にある施錠ユニットの側面側から見た断面図の一例を示す図である。
【図９】シリンダ錠が第１の開錠状態にある場合の施錠ユニットの背面側から見た断面図の一例を示す図である。
【図１０】シリンダ錠が第１の開錠状態にある場合の施錠ユニットの側面側から見た断面図の一例を示す図である。
【図１１】シリンダ錠が第２の開錠状態にある場合の施錠ユニットの背面側から見た断面図の一例を示す図である。
【図１２】シリンダ錠が第２の開錠状態にある場合の施錠ユニットの側面側から見た断面図の一例を示す図である。
【図１３】シリンダ錠および鍵の正面側から見た外観斜視図の一例を示す図である。
【図１４】シリンダ錠の背面側から見た外観斜視図の一例を示す図である。
【図１５】内筒の外観斜視図の一例を示す図である。
【図１６】シリンダ錠の正面側から見た外観図の一例を示す図である。
【図１７Ａ】外筒および内筒の外筒の軸線に沿った断面図の一例を示す図である。
【図１７Ｂ】図１７Ａに示す符号３００で示した囲み部分の拡大図を示す図である。
【図１８】内筒が外筒に対して開錠位置にある場合における鍵が挿入された状態のシリンダ錠の外観斜視図の一例である図である。
【図１９】本実施形態の変形例に係るシリンダ錠の背面側から見た外観斜視図の一例を示す図である。
【図２０】本実施形態の変形例に係るシリンダ錠の背面側から見た平面図の一例を示す図である。
【図２１】本実施形態の変形例に係る出力軸の外観斜視図の一例を示す図である。
【図２２Ａ】本実施形態の変形例に係る外筒および内筒の外筒２０の軸線に沿った断面図の一例を示す図である。
【図２２Ｂ】図２２Ａに示す符号３０２で示した囲み部分の拡大図を示す図である。
【図２３】シリンダ錠を備える他の実施形態に係る遊技機の外観斜視図の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本実施形態に係る遊技機１００の外観斜視図の一例を示す。遊技機１００は、枠１０２、遊技機本体１０４、カバー１０６、およびシリンダ錠１０を備える。
【００１７】
枠１０２は、矩形の枠体であり、遊技機１００は、枠１０２を介して遊技場の島設備に固定される。枠１０２は、例えば、４枚の木製の板材を組み合わせることで、矩形状を形成してもよい。遊技機本体１０４は、枠１０２の幅方向の一辺にヒンジを介して固定されることで、枠１０２に開閉可能に支持される。なお、枠１０２は、遊技機本体１０４を収容する箱状の枠体でもよい。
【００１８】
遊技機本体１０４は、遊技盤および遊技機１００の遊技処理を制御する制御回路を備える。カバー１０６は、遊技盤を視認可能に覆う。カバー１０６は、ガラス、透明性を有する樹脂などにより構成されてもよい。カバー１０６は、遊技機本体１０４の幅方向の一辺にヒンジを介して固定されることで、遊技機本体１０４に対して開閉可能に支持される。なお、遊技機本体１０４が開閉可能に支持される枠１０２の一辺と、カバー１０６が開閉可能に支持される遊技機本体１０４の一辺とは同一方向の一辺である。
【００１９】
シリンダ錠１０は、遊技機本体１０４に設けられ、枠１０２に対する遊技機本体１０４の施錠を行う。シリンダ錠１０は、遊技機本体１０４に対するカバー１０６の施錠をさらに行う。シリンダ錠１０は、鍵穴を有し、鍵穴に鍵５０が挿入される。例えば、鍵５０がシリンダ錠１０に対して時計回りに回転されることで、シリンダ錠１０は、枠１０２に対する遊技機本体１０４の施錠状態を開錠状態にする。また、鍵５０がシリンダ錠１０に対して反時計回りに回転されることで、シリンダ錠１０は、遊技機本体１０４に対するカバー１０６の施錠状態を開錠状態にする。シリンダ錠１０は、キーコードを変更可能なシリンダ錠でもよい。
【００２０】
図２は、鍵５０をシリンダ錠１０に対して反時計回りに回した場合の遊技機１００の正面側の様子を示す。鍵５０をシリンダ錠１０に対して反時計回りに回転させることにより、遊技機本体１０４が枠１０２に対して施錠された状態で、カバー１０６が、遊技機本体１０４に対して開錠状態となる。これにより、ユーザは、遊技機本体１０４の正面に設けられた遊技盤などに対する保守作業などを行うことができる。
【００２１】
図３は、鍵５０をシリンダ錠１０に対して時計回りに回した場合の遊技機１００の正面側の様子を示す。鍵５０をシリンダ錠１０に対して時計回りに回転させることにより、カバー１０６が遊技機本体１０４に対して施錠された状態で、遊技機本体１０４が、枠１０２に対して開錠状態になる。これにより、ユーザは、遊技機本体１０４の裏面に設けられた制御ユニット、遊技球経路などに対する保守作業などを行うことができる。なお、枠１０２に設けられた本体鉤受けユニット２３０ａおよび２３０ｂは、遊技機本体１０４を枠１０２に施錠するための部材である。
【００２２】
図４は、鍵５０をシリンダ錠１０に対して時計回りに回した場合の遊技機１００の背面側の様子を示す。遊技機本体１０４の裏面の開放側の一辺には、施錠ユニット２００が固定されている。施錠ユニット２００が、シリンダ錠１０と協働して、枠１０２に対する遊技機本体１０４の施錠状態と開錠状態との切り替え、および遊技機本体１０４に対するカバー１０６の施錠状態と開錠状態との切り替えを行う。
【００２３】
図５は、施錠ユニット２００の背面側から見た分解斜視図の一例を示す。施錠ユニット２００は、取付フレーム２０２、鉤連結板２０４、可動プレート２０７、可動プレート２０９、バネ２０８、およびバネ２１０を備える。
【００２４】
シリンダ錠１０は、取付フレーム２０２に固定される。シリンダ錠１０は、外筒２０および内筒３０を備える。内筒３０の背面の出力軸には、カム板１２が取り付けられる。
【００２５】
取付フレーム２０２は、遊技機本体１０４に固定される。取付フレーム２０２は、取付フレーム２０２の長手方向に沿って移動可能に鉤連結板２０４を支持する。鉤連結板２０４は、長手方向の一端側にカバー鉤２０５ａおよび本体鉤２０６ａを有する。鉤連結板２０４は、長手方向の他端側にカバー鉤２０５ｂおよび本体鉤２０６ｂをさらに有する。
【００２６】
可動プレート２０７は、段付きビスによって取付フレーム２０２の長手方向に移動可能に取り付けられる。バネ２０８は、一端が可動プレート２０７に取り付けられ、他端が取付フレーム２０２に取り付けられる。鉤連結板２０４が、取付フレーム２０２の長手方向の上方に移動した場合、可動プレート２０７は、鉤連結板２０４に設けられた復元力伝達凸部２１１に押されて取付フレーム２０２の長手方向の上方に移動する。この状態では、バネ２０８が伸びた状態にある。したがって、鉤連結板２０４に対する上方への力がなくなった段階で、バネ２０８の復元力により、可動プレート２０７は、取付フレーム２０２の長手方向の下方に移動し、元の位置に戻る。
【００２７】
可動プレート２０９は、段付きビスによって取付フレーム２０２の長手方向に移動可能に取り付けられる。バネ２１０は、一端が可動プレート２０９に取り付けられ、他端が取付フレーム２０２に取り付けられる。鉤連結板２０４が、取付フレーム２０２の長手方向の下方に移動した場合、可動プレート２０９は、鉤連結板２０４に設けられた復元力伝達凸部２１１に押されて取付フレーム２０２の長手方向の下方に移動する。この状態では、バネ２１０が伸びた状態にある。したがって、鉤連結板２０４に対する下方への力がなくなった段階で、バネ２１０の復元力により、可動プレート２０９は、取付フレーム２０２の長手方向の上方に移動し、元の位置に戻る。
【００２８】
図６は、施錠ユニット２００の正面側から見た分解斜視図の一例を示す。鉤連結板２０４は、カム板１２の凸部１２ａおよび凸部１２ｂに対応する位置に、カム孔２１２ａおよびカム孔２１２ｂを有する。シリンダ錠１０が施錠状態にある場合、カム板１２の凸部１２ａおよび凸部１２ｂは、カム孔２１２ａおよびカム孔２１２ｂに挿入された状態にある。
【００２９】
図７は、施錠状態にある施錠ユニット２００の背面側から見た断面図の一例を示す。上記の通り、シリンダ錠１０が施錠状態にある場合、カム板１２の凸部１２ａおよび凸部１２ｂは、鉤連結板２０４に設けられたカム孔２１２ａおよびカム孔２１２ｂに挿入された状態にある。
【００３０】
図８は、施錠状態にある施錠ユニット２００の側面側から見た断面図の一例を示す。シリンダ錠１０が施錠状態にある場合、鉤連結板２０４に設けられたカバー鉤２０５ａおよびカバー鉤２０５ｂは、カバー１０６に固定されているカバー鉤受けユニット２２０に係合している。よって、シリンダ錠１０が施錠状態にある場合には、カバー１０６は、遊技機本体１０４に対して施錠状態にある。また、鉤連結板２０４に設けられた本体鉤２０６ａおよび本体鉤２０６ｂは、枠１０２に固定されている本体鉤受けユニット２３０ａおよび本体鉤受けユニット２３０ｂに係合している。よって、シリンダ錠１０が施錠状態にある場合には、遊技機本体１０４は、枠１０２に対して施錠状態にある。
【００３１】
図９は、鍵５０が反時計回りに回されて、シリンダ錠１０が第１の開錠状態にある場合の施錠ユニット２００の背面側から見た断面図の一例を示す。鍵５０が反時計回りに回されると、カム板１２が回転し、カム板１２の一方の凸部１２ａがカム孔２１２ａに係合した状態で、カム板１２の他方の凸部１２ｂとカム孔２１２ｂとの係合が解除される。カム板１２の回転に伴いカム板１２の凸部１２ａが下方に移動することにより、鉤連結板２０４が、取付フレーム２０２の長手方向に沿って下方に移動する。
【００３２】
図１０は、鍵５０が反時計回りに回されて、シリンダ錠１０が第１の開錠状態にある場合の施錠ユニット２００の側面側から見た断面図の一例を示す。
【００３３】
上記の通り、鍵５０が反時計回りに回されると、カム板１２の回転に伴い、鉤連結板２０４が、取付フレーム２０２の長手方向に沿って下方に移動する。鉤連結板２０４が下方に移動することによって、カバー鉤２０５ａおよびカバー鉤２０５ｂとカバー鉤受けユニット２２０との間の係合が解除される。一方、本体鉤２０６ａおよび本体鉤２０６ｂと本体鉤受けユニット２３０ａおよび本体鉤受けユニット２３０ｂとの間の係合は維持される。よって、遊技機本体１０４が枠１０２に対して施錠された状態で、カバー１０６は、遊技機本体１０４に対して開錠された状態になる。
【００３４】
図１１は、鍵５０が時計回りに回されて、シリンダ錠１０が第２の開錠状態にある場合の施錠ユニット２００の背面側から見た断面図の一例を示す。鍵５０が時計回りに回されると、カム板１２が回転し、カム板１２の他方の凸部１２ｂがカム孔２１２ｂに係合した状態で、カム板１２の一方の凸部１２ａとカム孔２１２ａとの係合が解除される。カム板１２の回転に伴いカム板１２の凸部１２ｂが上方に移動することにより、鉤連結板２０４が、取付フレーム２０２の長手方向に沿って上方に移動する。
【００３５】
図１２は、鍵５０が時計回りに回されて、シリンダ錠１０が第２の開錠状態にある場合の施錠ユニット２００の側面側から見た断面図の一例を示す。
【００３６】
上記の通り、鍵５０が時計回りに回されると、カム板１２の回転に伴い、鉤連結板２０４が、取付フレーム２０２の長手方向に沿って上方に移動する。鉤連結板２０４が上方に移動することによって、本体鉤２０６ａおよび本体鉤２０６ｂと本体鉤受けユニット２３０ａおよび本体鉤受けユニット２３０ｂとの間の係合が解除される。一方、カバー鉤２０５ａおよびカバー鉤２０５ｂとカバー鉤受けユニット２２０との間の係合は維持される。よって、カバー１０６が遊技機本体１０４に対して施錠された状態で、遊技機本体１０４は、枠１０２に対して開錠された状態になる。
【００３７】
以上の通り、遊技機１００が備えるシリンダ錠１０により、枠１０２に対する遊技機本体１０４の施錠、および遊技機本体１０４に対するカバー１０６に対する施錠が行われる。
【００３８】
ところで、上記のような遊技機１００などに設けられるシリンダ錠１０は、使用に伴い内部の部品が摩耗することがある。しかし、内部の部品の摩耗量は、シリンダ錠１０の外観からは確認することが困難である。
【００３９】
シリンダ錠１０は、セキュリティを確保するために、鍵５０のキーコードを変更可能なタイプも多く用いられる。このようなシリンダ錠１０の場合、鍵５０のキーコードを変更して、シリンダ錠１０を再利用することもある。上記の通り、シリンダ錠１０の外観から内部の部品の摩耗量を確認することが困難なので、シリンダ錠１０を再利用可能かどうかを、シリンダ錠１０の外観から判断することは困難である。
【００４０】
そこで、本実施形態に係るシリンダ錠１０は、内部の部品の摩耗量をシリンダ錠１０の外観を目視することで判断可能な機能を提供する。
【００４１】
図１３は、本実施形態に係るシリンダ錠１０および鍵５０の正面側から見た外観斜視図の一例を示す。シリンダ錠１０は、外筒２０および内筒３０を備える。鍵５０は、把手部５２および挿入部５４を備える。
【００４２】
内筒３０は、外筒２０内に外筒２０の軸線を中心に回転可能に配置され、鍵５０の挿入部５４が挿入される鍵穴３２が形成されている。内筒３０は、鍵穴３２に挿入された鍵５０が時計回りまたは反時計回りに回転することに対応して、外筒２０の軸線を中心に時計回りまたは反時計回りに回転する。
【００４３】
図１４は、本実施形態に係るシリンダ錠１０の背面側から見た外観斜視図の一例を示す。外筒２０は、外筒本体２２、背面カバー２４、および取り付けフランジ２７を有する。外筒本体２２および取り付けフランジ２７は、一体的に構成されてもよい。取り付けフランジ２７には、内筒３０を外筒本体２２の内部に挿入するための開口が形成されている。背面カバー２４は、取り付けフランジ２７に形成された開口を覆う。シリンダ錠１０は、取り付けフランジ２７を介して施錠ユニット２００に取り付けられる。
【００４４】
内筒３０は、鍵穴３２の挿入口が形成される正面と、正面と反対の面である背面とを有する。内筒３０は、背面側に出力軸３４をさらに有する。出力軸３４の先端には、カム板１２が取り付けられる。背面カバー２４には、開口２４ａが形成されている。
【００４５】
出力軸３４は、出力軸３４の中心軸の周囲の背面から突出する突出部３５を有する。開口２４ａは、内筒３０が外筒２０に対して回転する回転量を規制すべく、内筒３０が外筒２０に対して回転する場合に突出部３５が移動可能な範囲を画定している。
【００４６】
図１５は、内筒３０の外観斜視図の一例を示す。内筒３０は、正面３３に鍵穴３２の挿入口３２ａが形成されている。内筒３０は、正面３３から突出する突出部３６をさらに備える。突出部３６は、外筒２０の外面および内筒３０の内面のいずれか一方から突出し、外筒の外面および内筒の内面のいずれか他方と接触する突出部の一例である。さらに言えば、突出部３６は、内筒３０が外筒２０に対して施錠位置から開錠位置まで回転する間に、外筒２０の外面および内筒３０の内面のいずれか他方と接触する突出部の一例である。
【００４７】
内筒３０および突出部３６は、同一の材料により構成されてもよい。内筒３０および突出部３６は、鋳造により一体的に形成されてもよい。内筒３０および突出部３６は、異なる材料により構成されてもよい。突出部３６は、内筒３０の正面３３に形成した孔にピン状の部材を挿入することで構成されてもよい。突出部３６は、内筒３０の正面３３に接着剤により接着されることで構成されてもよい。
【００４８】
図１６は、シリンダ錠１０の正面側から見た外観図の一例を示す。内筒３０の構造を説明するために、外筒２０は、透明な部材として表現している。
【００４９】
上記の通り、突出部３６は、外筒２０の正面２３の内面と接触する。突出部３６は、内筒３０の回転に伴い、外筒２０の正面２３の内面との接触により摩耗する。突出部３６は、外筒２０の正面２３の内面との接触による摩耗量によって、シリンダ錠１０の使用頻度を示す。
【００５０】
外筒２０は、外筒２０の正面２３に切込み部２５ａおよび切込み部２５ｂを有する。切込み部２５ａは、内筒３０が外筒２０に対して施錠位置にある場合に、鍵穴３２の挿入口３２ａの一部を露出する。切込み部２５ｂは、内筒３０が外筒２０に対してキーコードをリセットするリセット位置にある場合に、鍵穴３２の挿入口３２ａの一部を露出する。
【００５１】
切込み部２５ａまたは切込み部２５ｂは、内筒３０が外筒２０に対して施錠位置、または内筒３０が外筒２０に対してキーコードをリセットするリセット位置にある場合のみ、鍵５０を鍵穴３２に挿入可能にするための機構である。さらに言えば、切込み部２５ａまたは切込み部２５ｂは、内筒３０が外筒２０に対して施錠位置から回転した位置、または内筒３０が外筒２０に対してキーコードをリセットするリセット位置から回転した位置で、鍵穴３２に挿入された鍵５０を鍵穴３２から抜き出すことを阻止するための機構である。
【００５２】
突出部３６は、例えば、内筒３０が外筒２０に対して施錠位置から時計回りまたは反時計回りに９０度回転した開錠位置またはリセット位置にある場合に、切込み部２５ａまたは切込み部２５ｂを介して外部から目視可能に露出される。切込み部２５ａまたは切込み部２５ｂは、内筒３０が外筒２０に対して開錠位置にある場合に、突出部３６を外部から目視可能に露出する。つまり、切込み部２５ａまたは切込み部２５ｂは、内筒３０の正面３３に対向する外筒２０の正面２３に形成され、突出部３６を外部から目視可能に露出する露出部として機能する。
【００５３】
図１７Ａは、外筒２０および内筒３０の外筒２０の軸線に沿った断面図の一例を示す。外筒２０は、外筒本体２２と背面カバー２４とを有する。外筒本体２２内には、内筒３０の内筒本体３１および出力軸３４の一部が収容される。内筒本体３１および出力軸３４は、鍵５０の回転に応じて一体的に外筒２０の軸線を中心に回転する。
【００５４】
図１７Ｂは、図１７Ａに示す符号３００で示した囲み部分の拡大図を示す。突出部３６は、内筒本体３１の正面から突出している。突出部３６は、外筒本体２２の正面の内面２２ｂと接触可能な位置まで突出している。これにより、内筒３０が、外筒２０に対して回転した場合に、突出部３６は、外筒本体２２の正面の内面２２ｂとの接触により摩耗する。突出部３６の摩耗量は、シリンダ錠１０の使用回数の増加に伴い増加する。そこで、突出部３６の摩耗量を確認することで、ユーザは、シリンダ錠１０の使用回数を推定できる。ユーザは、突出部３６が擦り減っていた場合には、シリンダ錠１０の内部の部品が摩耗している可能性があるので、シリンダ錠１０を交換すべきことを把握できる。つまり、突出部３６は、シリンダ錠１０の使用頻度を判断するための指標として機能する。
【００５５】
なお、突出部３６は、内筒３０の正面３３から突起した突起部分の表面に樹脂等の他の素材を塗布して、多層構造で構成してもよい。これにより、摩耗により突出部３６の上層部分が擦り減り内層が露出された時点で、ユーザは、シリンダ錠１０を交換すべきことを把握できる。
【００５６】
図１８は、内筒３０が外筒２０に対して開錠位置にある場合における鍵５０が挿入された状態のシリンダ錠１０の外観斜視図の一例である。
【００５７】
鍵５０が時計回りまたは反時計回りに回転して、内筒３０が外筒２０に対して開錠位置にある場合、内筒３０の正面に設けられた突出部３６が、外筒２０の正面２３に設けられた切込み部２５ｂを介して外部から目視可能に露出される。突出部３６は、内筒３０が外筒２０に対して施錠位置にある場合には、外筒２０の正面２３により隠れている。つまり、突出部３６は、内筒３０が外筒２０に対して施錠位置にある場合、切込み部２５ａまたは切込み部２５ｂを介して外部から目視可能に露出していない。よって、遊技機１００を使用する状態では、ユーザは、突出部３６を外部から目視することはできない。もしくは、遊技機１００を使用する状態では、ユーザは、突出部３６を外部から目視しにくい。内筒３０が外筒２０に対して開錠位置にある場合、目視可能な位置に突出部３６を設けることで、不特定多数のユーザに対して突出部３６が公開されることを防止できる。よって、不特定多数のユーザによってシリンダ錠１０の使用頻度が把握されることを防止できる。内筒３０が外筒２０に対して施錠位置にある場合、目視できないもしくは目視しにくい位置に突出部３６を設けることで、シリンダ錠１０のセキュリティを向上させることができる。
【００５８】
図１９は、本実施形態の変形例に係るシリンダ錠１０の背面側から見た外観斜視図の一例である。本実施形態の変形例に係るシリンダ錠１０によれば、内筒３０の背面側に突出部３６が設けられている。
【００５９】
シリンダ錠１０の使用頻度を判断するための指標として機能する突出部３６は、内筒３０を構成する出力軸３４の背面から突出している。背面カバー２４には、出力軸３４が回転した場合に、出力軸３４に設けられた突出部３５が移動可能な範囲を画定する開口２４ａが形成されている。なお、突出部３５は、内筒３０を構成する出力軸３４の背面の突出部３６とは異なる位置から突出する他の突出部の一例である。突出部３６は、内筒３０が外筒２０に対して開錠位置にある場合、開口２４ａから目視可能に露出される。つまり、開口２４ａは、突出部３６を外部から目視可能に露出する露出部として機能する。
【００６０】
図２０は、本実施形態の変形例に係るシリンダ錠１０の背面側から見た平面図の一例を示す図である。なお、外筒２０の内部に収容される内筒３０の構造を説明するために、背面カバー２４は、透明な部材として表現している。
【００６１】
開口２４ａは、出力軸３４の軸周りに円弧状に形成されている。突出部３６は、内筒３０が外筒２０に対して施錠位置にある場合、背面カバー２４の開口２４ａの円弧の延長部分２４ｂに隠れる。突出部３６は、内筒３０が外筒２０に対して施錠位置から開錠位置に移動する間に、延長部分２４ｂの内面で接触し、摩耗する。
【００６２】
図２１は、本実施形態の変形例に係る出力軸３４の外観斜視図の一例である。突出部３６は、出力軸３４の背面３４ａから突出している。突出部３６は、出力軸３４と同一材料により構成されてもよい。出力軸３４および突出部３６は、鋳造により一体的に形成してもよい。出力軸３４および突出部３６は、異なる材料により構成されてもよい。突出部３６は、出力軸３４の背面３４ａに形成した孔にピン状の部材を挿入することで構成されてもよい。突出部３６は、出力軸３４の背面３４ａに接着剤により接着されることで構成されてもよい。突出部３６は、出力軸３４の背面３４ａから突起した突起部分の表面に樹脂等の他の素材を塗布して、多層構造で構成してもよい。
【００６３】
図２２Ａは、本実施形態の変形例に係る外筒２０および内筒３０の外筒２０の軸線に沿った断面図の一例を示す。図２２Ｂは、図２２Ａに示す符号３０２で示した囲み部分の拡大図を示す。
【００６４】
突出部３６は、出力軸３４の背面から、背面カバー２４の内面２５に接触可能な位置まで突出している。これにより、内筒３０が、外筒２０に対して回転した場合に、突出部３６は、背面カバー２４の内面２５との接触により摩耗する。突出部３６の摩耗量は、シリンダ錠１０の使用回数の増加に伴い増加する。そこで、突出部３６の摩耗量を確認することで、ユーザは、シリンダ錠１０の使用回数を推定できる。ユーザは、突出部３６が擦り減っていた場合には、シリンダ錠１０の内部の部品が摩耗している可能性があるので、シリンダ錠１０を交換すべきことを把握できる。
【００６５】
ここで、シリンダ錠１０の背面は、図４に示すように、遊技機本体１０４が枠１０２に対して開錠状態にある場合に目視可能に露出される。よって、露出部として機能する開口２４ａは、遊技機本体１０４が枠１０２に対して開錠状態にある場合に、突出部３６を外部から目視可能に露出する。このように、遊技機１００を使用する状態では、ユーザは、突出部３６を外部から目視することはできない。遊技機本体１０４が枠１０２に対して開錠状態にある場合のみ目視可能な位置に、突出部３６を設けることで、不特定多数のユーザに対して突出部３６が公開されることを防止できる。よって、不特定多数のユーザによってシリンダ錠１０の使用頻度が把握されることを防止できる。内筒３０が外筒２０に対して施錠状態、つまり遊技機本体１０４が枠１０２に対して施錠状態にある場合に、目視できないもしくは目視しにくい位置に突出部３６を設けることで、シリンダ錠１０のセキュリティを向上させることができる。
【００６６】
なお、上記では、遊技機１００としてパチンコ台を例に説明した。しかしながら、シリンダ錠１０は、例えば、図２３に示すようなパチスロ台４００などの他の遊技機に設けられてもよい。パチスロ台４００は、外枠、外枠に収容される遊技機本体、および遊技機本体を覆うカバーを備える。シリンダ錠１０は、外枠に対する遊技機本体の施錠、および遊技機本体に対するカバーの施錠を行う。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６９】
１０  シリンダ錠
２０  外筒
２２  外筒本体
２４  背面カバー
２４ａ  開口
２７  取り付けフランジ
３０  内筒
３１  内筒本体
３２  鍵穴
３２ａ  挿入口
３４  出力軸
３５  突出部
３６  突出部
５０  鍵
５２  把手部
５４  挿入部
１００  遊技機
１０２  枠
１０４  遊技機本体
１０６  カバー
２００  施錠ユニット
【図１】
2014212887.tif 000003
【図２】
2014212887.tif 000004
【図３】
2014212887.tif 000005
【図４】
2014212887.tif 000006
【図５】
2014212887.tif 000007
【図６】
2014212887.tif 000008
【図７】
2014212887.tif 000009
【図８】
2014212887.tif 000010
【図９】
2014212887.tif 000011
【図１０】
2014212887.tif 000012
【図１１】
2014212887.tif 000013
【図１２】
2014212887.tif 000014
【図１３】
2014212887.tif 000015
【図１４】
2014212887.tif 000016
【図１５】
2014212887.tif 000017
【図１６】
2014212887.tif 000018
【図１７Ａ】
2014212887.tif 000019
【図１７Ｂ】
2014212887.tif 000020
【図１８】
2014212887.tif 000021
【図１９】
2014212887.tif 000022
【図２０】
2014212887.tif 000023
【図２１】
2014212887.tif 000024
【図２２Ａ】
2014212887.tif 000025
【図２２Ｂ】
2014212887.tif 000026
【図２３】
2014212887.tif 000027